(57)【要約】【課題】パソコンや制御機器などのコネクターを簡単に閉塞しロックする。【解決手段】このコネクターロック装置Ｌでは、シリンダー錠１の被覆部１０１で機器側のコネクターの接続面を覆い塞ぎ、特殊ねじ挿通部２内の特殊ねじ３をねじ部Ｓに締結することにより、シリンダー錠１の被覆部１０１と機器側のコネクターの接続面とを固定し、シリンダー錠１のキー１２の回転操作により、ロックキャップ４で特殊ねじ挿通部２の開口２１０を閉じ、キー１２をキー孔１１０から引き抜きシリンダー錠１を施錠することにより、ロックキャップ４をロックする。【選択図】図６
2018111955.tif 000002
【特許請求の範囲】
【請求項１】
パソコンや制御機器を含む電子機器の筐体に装備される両端にねじ部を併設される機器側のコネクターにケーブル側のコネクターを接続し、前記ケーブル側のコネクターの両端に併設される各取付ねじを前記機器側のコネクター両端の前記各ねじ部に締結することにより前記機器側のコネクターと前記ケーブル側のコネクターとの接続を固定する形式の電子機器の機器側のコネクターにおいて、前記機器側のコネクターの前記ケーブル側のコネクターとの接続面を閉塞しロックするコネクターロック装置であって、
一端に前記機器側のコネクターの接続面の全部又は一部を覆い塞ぐ被覆部を有し、他端にキー孔を有し、前記キー孔にキーの挿脱により施解錠し前記キー孔に差し込まれた前記キーの回転操作により回転駆動されるシリンダー錠と、
前記シリンダー錠の外周面に前記シリンダー錠の軸線方向と平行に略筒状に並設され、一端に前記ねじ部に連通して前記ねじ部を覆い塞ぐ被覆部を有し、他端に開口を有する特殊ねじ挿通部、及び前記特殊ねじ挿通部内に挿通収容され、前記ねじ部に締結可能な特殊ねじと、
前記シリンダー錠の他端側に、前記シリンダー錠に作動連結されて、前記シリンダー錠の前記キーの回転操作により前記シリンダー錠の軸線回りを前記特殊ねじ挿通部の他端開口上のロック位置と前記開口上から離れるアンロック位置との間で回動可能に設けられ、前記特殊ねじ挿通部の前記開口を開閉可能なロックキャップと、
を備え、
前記機器側のコネクターの不正使用を防止するときは、
前記シリンダー錠の前記被覆部で前記機器側のコネクターの接続面を覆い塞ぎ、前記特殊ねじ挿通部内の前記特殊ねじを前記ねじ部に締結することにより、前記シリンダー錠の前記被覆部と前記機器側のコネクターの接続面とを固定し、
前記シリンダー錠の前記キーの回転操作により、前記ロックキャップで前記特殊ねじ挿通部の前記開口を閉じ、前記キーを前記キー孔から引き抜き前記シリンダー錠を施錠することにより、前記ロックキャップをロックして、前記シリンダー錠の前記被覆部を前記機器側のコネクターの接続面にロックし、
前記機器側のコネクターを使用するときは、
前記キーを前記キー孔へ差し込み前記シリンダー錠を解錠することにより、前記ロックキャップのロック、及び前記シリンダー錠の前記被覆部の前記機器側のコネクターの接続面に対するロックを解除し、前記シリンダー錠の前記キーの回転操作により、前記ロックキャップを前記特殊ねじ挿通部の前記開口から外して前記開口を開き、
前記特殊ねじ挿通部内の前記特殊ねじを前記ねじ部から取り外すことにより、前記シリンダー錠の前記被覆部と前記機器側のコネクターの接続面との固定を解除する、
ことを特徴とするコネクターロック装置。
【請求項２】
シリンダー錠の外筒と特殊ねじ挿通部はロックボディとして一体に形成される請求項１に記載のコネクターロック装置。
【請求項３】
シリンダー錠の外筒一端の被覆部は機器側のコネクターの一部を内包可能に略筒形状に形成され、前記被覆部の外周の一部に前記機器側のコネクターの残部を前記被覆部の外に出すためのコネクター通し部が設けられる請求項１又は２に記載のコネクターロック装置。
【請求項４】
シリンダー錠はディスクタンブラー式のシリンダー錠として構成される請求項１乃至３のいずれかに記載のコネクターロック装置。
【請求項５】
ロックキャップは、シリンダー錠の外筒の他端側を分割してリング形状に形成され、前記リング形状の内周面又は前記シリンダー錠の内筒の外周面の一方に形成される係合凹部と他方に形成される係止凸部との係合により前記シリンダー錠の前記外筒の他端側で前記内筒と一体に回転可能なキャップ回転部と、前記キャップ回転部の外周面の一部に凸状にかつ特殊ねじ挿通部の開口を有する他端面と略同じ形状をなすキャップ部とからなる請求項１乃至４のいずれかに記載のコネクターロック装置。
【発明の詳細な説明】
【技術分野】
【０００１】
本発明は、パソコンや制御機器などの電子機器に装着されたコネクター（機器側のコネクター）からの各種データの漏洩やコネクター（機器側のコネクター）の悪戯を防止するのに使用するコネクターロック装置に関する。
【背景技術】
【０００２】
今日、パソコンの普及が急速に進み、パソコン内部にはさまざまな情報が大量に記録、蓄積されており、他面で、これらの情報を盗み出すために、パソコンへの不正アクセス、情報漏洩があとを経たない現状である。
このパソコンへの不正アクセスの中でも、近年、問題の一つになっていたのが、ＵＳＢポートへのアクセスによる情報の漏洩である。ＵＳＢポートは、周知のとおり、ＵＳＢメモリなどの外部記憶装置を接続すれば、パソコン内部のデータを簡単にコピーすることができるので、ＵＳＢポートへのアクセスを阻止する措置が必要になっている。
【０００３】
そこで、本願発明者は、ＵＳＢポートに挿入ケースを差し込んでこれを塞ぎ、ＵＳＢポートの外枠の任意の面のスリットに挿入ケースに設けたロック爪を係合させることによりロックして、情報の漏洩を防止するＵＳＢポートロック装置を特許文献１により提案したところである。
【０００４】
ところが、近年、パソコンや制御機器などの電子機器の背面の「D-Sub（D-Subminiature）」と称されるコネクターや、「DVI（Digital Visual Interfase）」と呼ばれるコネクターからもまた、各種のデータが抜き取られることが分かってきた。
これらのコネクターはパソコンや制御機器の筐体に両端にねじ部を併設されて装備されるコネクター（機器側のコネクター）で、この機器側のコネクターにケーブル側のコネクターを接続し、このケーブル側のコネクターの両端に併設される各取付ねじを機器側のコネクター両端の各ねじ部に締結することにより機器側のコネクターとケーブル側のコネクターとの接続を固定する形式になっており、ＵＳＢポートとは異なる構造のため、上記のロック装置では対応できない。
また、これまでのところ、この種のコネクターを塞ぎロックするコネクターロック装置は存在していないものとみられる。このため、かかるコネクターロック装置と関連性を有する技術の蓄積がなく、記載すべき先行技術文献はない。
【先行技術文献】
【特許文献】
【０００５】
【特許文献１】特願２０１６−１２２５０２
【発明の概要】
【発明が解決しようとする課題】
【０００６】
このようにパソコンや制御機器などの「D-Sub」や「DVI」などのコネクターに対応のコネクターロック装置がない状態は、パソコンや制御機器が丸裸同然になっており、このままではパソコンや制御機器が不正に使用され、各種のデータがいたずらに持ち出されかねない。
本発明は、このような従来の問題を解決するもので、この種のコネクターを簡単に閉塞しロックすること、しかも、ロックした後のロック解除を困難にして、信頼性の高いセキュリティを実現すること、を目的とする。
【課題を解決するための手段】
【０００７】
上記目的を達成するために、本発明のコネクターロック装置は、
パソコンや制御機器を含む電子機器の筐体に装備される両端にねじ部を併設される機器側のコネクターにケーブル側のコネクターを接続し、前記ケーブル側のコネクターの両端に併設される各取付ねじを前記機器側のコネクター両端の前記各ねじ部に締結することにより前記機器側のコネクターと前記ケーブル側のコネクターとの接続を固定する形式の電子機器の機器側のコネクターにおいて、前記機器側のコネクターの前記ケーブル側のコネクターとの接続面を閉塞しロックするコネクターロック装置であって、
一端に前記機器側のコネクターの接続面の全部又は一部を覆い塞ぐ被覆部を有し、他端にキー孔を有し、前記キー孔にキーの挿脱により施解錠し前記キー孔に差し込まれた前記キーの回転操作により回転駆動されるシリンダー錠と、
前記シリンダー錠の外周面に前記シリンダー錠の軸線方向と平行に略筒状に並設され、一端に前記ねじ部に連通して前記ねじ部を覆い塞ぐ被覆部を有し、他端に開口を有する特殊ねじ挿通部、及び前記特殊ねじ挿通部内に挿通収容され、前記ねじ部に締結可能な特殊ねじと、
前記シリンダー錠の他端側に、前記シリンダー錠に作動連結されて、前記シリンダー錠の前記キーの回転操作により前記シリンダー錠の軸線回りを前記特殊ねじ挿通部の他端開口上のロック位置と前記開口上から離れるアンロック位置との間で回動可能に設けられ、前記特殊ねじ挿通部の前記開口を開閉可能なロックキャップと、
を備え、
前記機器側のコネクターの不正使用を防止するときは、
前記シリンダー錠の前記被覆部で前記機器側のコネクターの接続面を覆い塞ぎ、前記特殊ねじ挿通部内の前記特殊ねじを前記ねじ部に締結することにより、前記シリンダー錠の前記被覆部と前記機器側のコネクターの接続面とを固定し、
前記シリンダー錠の前記キーの回転操作により、前記ロックキャップで前記特殊ねじ挿通部の前記開口を閉じ、前記キーを前記キー孔から引き抜き前記シリンダー錠を施錠することにより、前記ロックキャップをロックして、前記シリンダー錠の前記被覆部を前記機器側のコネクターの接続面にロックし、
前記機器側のコネクターを使用するときは、
前記キーを前記キー孔へ差し込み前記シリンダー錠を解錠することにより、前記ロックキャップのロック、及び前記シリンダー錠の前記被覆部の前記機器側のコネクターの接続面に対するロックを解除し、前記シリンダー錠の前記キーの回転操作により、前記ロックキャップを前記特殊ねじ挿通部の前記開口から外して前記開口を開き、
前記特殊ねじ挿通部内の前記特殊ねじを前記ねじ部から取り外すことにより、前記シリンダー錠の前記被覆部と前記機器側のコネクターの接続面との固定を解除する、
ことを要旨とする。
【０００８】
また、このコネクターロック装置は各部に次のような構成を採用されることが好ましい。
（１）シリンダー錠の外筒と特殊ねじ挿通部はロックボディとして一体に形成される。
（２）シリンダー錠の外筒一端の被覆部は機器側のコネクターの一部を内包可能に略筒形状に形成され、前記被覆部の外周の一部に前記機器側のコネクターの残部を前記被覆部の外に出すためのコネクター通し部が設けられる。
（３）シリンダー錠はディスクタンブラー式のシリンダー錠として構成される。
（４）ロックキャップは、シリンダー錠の外筒の他端側を分割してリング形状に形成され、前記リング形状の内周面又は前記シリンダー錠の内筒の外周面の一方に形成される係合凹部と他方に形成される係止凸部との係合により前記シリンダー錠の前記外筒の他端側で前記内筒と一体に回転可能なキャップ回転部と、前記キャップ回転部の外周面の一部に凸状にかつ特殊ねじ挿通部の開口を有する他端面と略同じ形状をなすキャップ部とからなる。
【発明の効果】
【０００９】
本発明のコネクターロック装置によれば、上記の構成により、機器側のコネクターの不正使用を防止するときは、シリンダー錠の被覆部で機器側のコネクターの接続面を覆い塞ぎ、特殊ねじ挿通部内の特殊ねじをねじ部に締結することにより、シリンダー錠の被覆部と機器側のコネクターの接続面とを固定し、シリンダー錠のキーの回転操作により、ロックキャップで特殊ねじ挿通部の開口を閉じ、キーをキー孔から引き抜きシリンダー錠を施錠することにより、ロックキャップをロックして、シリンダー錠の被覆部を機器側のコネクターの接続面にロックし、機器側のコネクターを使用するときは、キーをキー孔へ差し込みシリンダー錠を解錠することにより、ロックキャップのロック、及びシリンダー錠の被覆部の機器側のコネクターの接続面に対するロックを解除し、シリンダー錠のキーの回転操作により、ロックキャップを特殊ねじ挿通部の開口から外して開口を開き、特殊ねじ挿通部内の特殊ねじをねじ部から取り外すことにより、シリンダー錠の被覆部と機器側のコネクターの接続面との固定を解除するようにしたので、パソコンや制御機器を含む各種の電子機器の「D-Sub」や「DVI」などのコネクターを簡単に閉塞しロックすることができ、しかも、ロックした後のロック解除を困難にして、信頼性の高いセキュリティを実現することができ、また、このコネクターロック装置の取り外しも簡単に行うことができる、という本発明独自の格別な効果を奏する。
【図面の簡単な説明】
【００１０】
【図１】本発明の一実施の形態におけるコネクターロック装置の構成をパソコンなどに装備される機器側のコネクター及びケーブル側のコネクターの構成とともに示す図（（ａ）はコネクターロック装置のキー孔側から見た斜視図（ｂ）はコネクターロック装置のキー孔とは反対の側から見た斜視図（ｃ）はコネクターロック装置の分解斜視図（ｄ）は機器側のコネクター及びケーブル側のコネクターの斜視図）
【図２】同コネクターロック装置及びこの装置に使用するキーの構成を示す図（（ａ）はコネクターロック装置の一方の端面図（ｂ）はコネクターロック装置の平面断面図（ｃ）はキーの平面図）
【図３】同コネクターロック装置の特にロックボディの構成を示す図（（ａ）は他方の端面図（ｂ）は平面図（ｃ）は平面断面図（ｄ）は右側面図（ｅ）は左側面図（ｆ）は一方の端面図）
【図４】同コネクターロック装置の特に特殊ねじの構成を示す図（斜視図）
【図５】同コネクターロック装置の特にロックキャップの構成を示す図（（ａ）、（ｂ）は斜視図（ｃ）は正面図（ｄ）は側面断面図（ｅ）は側面図（ｆ）は背面図）
【図６】同コネクターロック装置の使用例（コネクターロック装置でDVIを覆い塞ぎロックする状態）を示す図
【発明を実施するための形態】
【００１１】
次に、この発明を実施するための形態について図を用いて説明する。
【００１２】
ここでまず、図１（ｄ）を用いて、パソコンに装備される機器側のコネクターであるD-Sub、DVIについて説明する。
図１（ｄ）に示すように、D-Subは、パソコンＰの筐体の例えば背面部に装備される雄側のコネクターで、複数の接触子を配列内装された略Ｄ字形柱状のコネクター本体Ｃとコネクター本体Ｃの背面部分を長手方向に延伸してなる取付部（図示省略）とにより構成され、取付部の長手方向両端に頭部にねじ部（雌ねじ）Ｓを有する取付ねじＳ０が設けられる。このD-Subは、コネクター本体Ｃが筐体の内側から筐体の略矩形状の嵌合穴に通されて筐体の外側に突出され、取付部を筐体の内側に当接されて、取付部両端の取付ねじＳ０を筐体のねじ挿通孔に通し筐体の内側でナット（図示省略）に締め込むことにより取り付けられる。このようにしてD-Subに対し雌側のコネクターであるケーブル側のコネクターＫ１をプラグインすることにより、これらD-Subとケーブル側のコネクターＫ１を介して、パソコンＰと外部機器（図示省略）が接続される。そして、D-Sub両端の各ねじ部Ｓ（各取付ねじＳ０頭部のねじ部Ｓ）にケーブル側のコネクターＫ１の両端に併設される各取付ねじＳ１を締結することによりD-Subとケーブル側のコネクターＫ１との接続が固定され、このようにすることにより、不用意にケーブルが引っ張られても、D-Subとケーブル側のコネクターＫ１との接触不良が生じたりD-Subからケーブル側のコネクターＫ１が抜け外れたりすることがない。
DVIはパソコンとディスプレイとを接続するためのインターフェース規格の一つで、図１（ｄ）に示すように、D-Subと概ね同様で、DVIに対しケーブル側のコネクターＫ２をプラグインすることにより、これらDVI とケーブル側のコネクターＫ２を介して、パソコンＰとディスプレイ（図示省略）が接続され、DVI 両端の各ねじ部Ｓにケーブル側のコネクターＫ２の両端に併設される各取付ねじＳ２を締結することによりDVI とケーブル側のコネクターとの接続が固定される。
【００１３】
以下、図１−図５を用いて、コネクターロック装置について説明する。
図１、図２に示すように、コネクターロック装置Ｌは、機器側のコネクター（D-Sub又はDVI。以下、同じ。）のケーブル側のコネクターとの接続面を閉塞しロックするもので、一端に機器側のコネクターの接続面の全部又は一部を覆い塞ぐ被覆部１０１を有し、他端にキー孔１１０を有し、キー孔１１０にキー１２の挿脱により施解錠しキー孔１１０に差し込まれたキー１２の回転操作により（外筒１０内で内筒１１が）回転駆動されるシリンダー錠１と、シリンダー錠１の外周面にシリンダー錠１の軸線方向と平行に略筒状に並設され、一端にねじ部Ｓに連通してねじ部Ｓを覆い塞ぐ被覆部２０を有し、他端に開口２１０を有する特殊ねじ挿通部２、及び特殊ねじ挿通部２内に挿通収容され、ねじ部Ｓに締結可能な特殊ねじ３と、シリンダー錠１の他端側にシリンダー錠１に作動連結され、シリンダー錠１のキー１２の回転操作によりシリンダー錠１の軸線回りを特殊ねじ挿通部２の他端開口２１０上のロック位置とこの開口２１０上から離れるアンロック位置との間で回動可能に設けられ、特殊ねじ挿通部２の開口２１０を開閉可能なロックキャップ４とを備えて構成される。
【００１４】
図２（ｂ）に示すように、シリンダー錠１は外筒１０とその内部に回動自在に収容される内筒１１とを備え、外筒１０の一端に機器側のコネクターの接続面の全部又は一部を被覆可能に被覆部１０１が形成され、外筒１０の他端は開口されて内筒１２に設けられるキー孔１１０が露出される。
この場合、シリンダー錠１はディスクタンブラー式のシリンダー錠として構成される。図３に示すように、外筒１０はロックボディＢとしてプラスチックにより略円筒状に形成され、その内周面に内筒１１と係合可能に係合溝１０２が形成される。この外筒１０一端の被覆部１０１は機器側のコネクターの全部又は一部を内包可能に略円筒形状に形成される。図２（ｂ）に示すように、内筒１１は亜鉛合金ダイカストにより略円筒状に形成され、内筒１１の内部に複数のディスク１１１がスプリング（不図示）によって常態として外筒１０方向（外筒１０の内周面の方向）へ突出可能に付勢されて配列される。このようにして外筒１０の内部に内筒１１が回動可能に収容され、内筒１１にキー孔１１０からキー１２（図２（ｃ）参照）が挿入されていないとき、つまり、キー１２が離脱されている状態では、内筒１１内の各ディスク１１１がスプリングによって外筒１０側に飛び出し（各ディスク１１１が外筒１０内周面の係合溝１０２に係合され）障害となって内筒１１が回転不能の施錠状態となり、この状態から、キー孔１１０にキー１２が挿入されると、各ディスク１１１が外筒１０側から内筒１１の内部に引き込まれて内筒１１が回転可能の解錠状態となり、キー孔１１０に差し込まれたキー１２の回転操作により外筒１０内で内筒１１が回転駆動されるようになっている。この場合、内筒１１は外筒１０内で９０°回動可能にしてある。
なお、このシリンダー錠１の外筒１０は特殊ねじ挿通部２とともにロックボディＢとしてプラスチックにより一体に形成される。この点は後述する。
【００１５】
図３に示すように、特殊ねじ挿通部２はシリンダー錠１の外筒１０の外周面に沿って両端を開口された略筒状に形成される。この場合、特殊ねじ挿通部２はロックボディＢの一部として外筒１０の外周面に一体に、機器側のコネクターのねじ部Ｓの外径よりも大きく外筒１０と同じ長さの略円筒状に形成され、内周面の一端は被覆部２０として機器側のコネクターのねじ部Ｓに連通可能にかつこのねじ部Ｓに外嵌可能に中径の略円筒形状に、他端は円形に開口されて（以下、この開口を符号２１０とする。）他端側の所定の範囲が頭部保持部２１として後述する特殊ねじ３の頭部３０が嵌合可能に特殊ねじ３の頭部３０と略同じ長さで頭部３０の径よりも僅かに大きい径の大径の略円筒形状に、この一端側の被覆部２０と他端側の頭部保持部２１との間の中間部は特殊ねじ３のねじ軸３１が挿通可能に一端側の一部がねじ孔２２、他端側の残部がねじ通し孔２３からなる小径の略円筒状に、それぞれ形成される。
図４に示すように、特殊ねじ３は頭部３０とねじ軸３１とからなり、全体が特殊ねじ挿通部２内に挿通可能に、ねじ軸３１が機器側のコネクターのねじ部Ｓに螺合可能に形成される。この場合、特殊ねじ３は特殊ねじ挿通部２の内周面他端側の頭部保持部２１に嵌合可能な円筒状の頭部３１と頭部３０の先端面中心から突出され、外周面の先端から所定の長さ範囲にねじ部を有するねじ軸３１とからなり、全体が特殊ねじ挿通部２内に挿通され、頭部３０が特殊ねじ挿通部２内の頭部保持部２１に保持され、ねじ軸３１が中間部のねじ通し孔２３、ねじ孔２２を通されて、ねじ軸３１の先端側が特殊ねじ挿通部２の被覆部２０内に突出配置される。
【００１６】
図５に示すように、ロックキャップ４は、シリンダー錠１の外筒１０の他端側を分割してリング形状に形成され、このリング形状の内周面に形成される係合凹部４０とシリンダー錠１の内筒１１の外周面の他端側に形成される係止凸部１１２（図２（ｂ）参照）との係合によりシリンダー錠１の外筒１０の他端側で内筒１１と一体に回転可能なキャップ回転部４１と、キャップ回転部４１の外周面の一部に凸状にかつ特殊ねじ挿通部２他端の開口２１０面と略同じ形状に形成されるキャップ部４２とからなり、このキャップ回転部４１の係合凹部４０とシリンダー錠１の内筒１１の係止凸部１１２との係合によりシリンダー錠１の他端側で内筒１１に作動連結される。このようにしてシリンダー錠１のキー孔１１０に挿入されたキー１２の回転操作により、キャップ回転部４１が内筒１１とともにシリンダー錠１の軸線回りを特殊ねじ挿通部２の他端開口２１０上のロック位置と開口２１０上から離れるアンロック位置との間で回動され、特殊ねじ挿通部２の開口２１０を開閉可能になっている。
【００１７】
かくしてこのコネクターロック装置Ｌでは、機器側のコネクターの不正使用を防止するときは、シリンダー錠１の被覆部１０１で機器側のコネクターの接続面を覆い塞ぎ、特殊ねじ挿通部２内の特殊ねじ３を機器側のコネクター両端の一方のねじ部Ｓに締結することにより、シリンダー錠１の被覆部１０１と機器側のコネクターの接続面とを固定し、シリンダー錠１のキー１２の回転操作により、ロックキャップ４で特殊ねじ挿通部２の開口２１０を閉じ、キー１２をキー孔１１０から引き抜きシリンダー錠１を施錠することにより、ロックキャップ４をロックして、シリンダー錠１の被覆部１０１を機器側のコネクターの接続面にロックする。
そして、機器側のコネクターを使用するときは、キー１２をシリンダー錠１のキー孔１１０へ差し込みシリンダー錠１を解錠することにより、ロックキャップ４のロック、及びシリンダー錠１の被覆部１０１の機器側のコネクターの接続面に対するロックを解除し、シリンダー錠１のキー１２の回転操作により、ロックキャップ４を特殊ねじ挿通部２の開口２１０から外して開口２１０を開き、特殊ねじ挿通部２内の特殊ねじ３をねじ部Ｓから取り外すことにより、シリンダー錠１の被覆部１０１と機器側のコネクターの接続面との固定を解除する。
【００１８】
図６にこのコネクターロック装置ＬをDVIに用いた場合の使用例を例示している。
この場合、コネクターロック装置ＬはロックボディＢの外筒１０の部分がDVIの長手方向の寸法よりも少し小さく短手方向の寸法よりも少し大きい内径の略円筒形に形成されて、この外筒１０一端の被覆部１０１がDVIの一部を内包可能に略円筒形状に形成され、DVIの残部を被覆部１０１の外に出す（逃がす）ため被覆部１０１の外周部の一部（特殊ねじ挿通部２とは反対側の面の一部）が略コ字形に切り欠かれて、DVI通し部（コネクター通し部）１０３（図３参照）が設けられる。
【００１９】
このコネクターロック装置ＬでDVIの不正使用を防止するときは、まず、図６（１）に示すように、シリンダー錠１の被覆部１０１及び特殊ねじ挿通部２の被覆部２０をそれぞれ、DVIの接続面及び一方のねじ部Ｓに合わせて、各被覆部１０１、２０をDVIの接続面及び一方のねじ部Ｓの上に被せる。このとき、DVIの一部（DVIの長手方向一端から全体の３分の２程度）がシリンダー錠１の被覆部１０１により覆い塞がれ、DVIの残部が被覆部１０１のDVI通し部１０３を通して被覆部１０１の外に出される。続いて、特殊ねじ挿通部２内の特殊ねじ３をDVIの一方のねじ部Ｓに締め込み、シリンダー錠１の被覆部１０１とDVIの接続面とを固定する。次いで、図６（２）に示すように、シリンダー錠１のキー孔１１０にキー１２を差し込み９０°回して、外筒１０内の内筒１１とともにロックキャップ４のキャップ部４２を特殊ねじ挿通部２の開口２１０から離れるアンロック位置から開口２１０上のロック位置まで回動させて、このロックキャップ４のキャップ部４２で特殊ねじ挿通部２の開口２１０を塞ぐ（つまり、開口２１０に蓋をする）。そして、図６（３）に示すように、キー１２をシリンダー錠１のキー孔１１０から引き抜くことにより、シリンダー錠１を施錠して、この施錠によりロックキャップ４をロックして、シリンダー錠１の被覆部１０１をDVIの接続面にロックする。このロックにより、図６（４）に示すように、ロックキャップ４のキャップ部４２はロック位置からアンロックへ回動できないので、DVIの一方のねじ部Ｓに締結された特殊ねじ３を外すことができず、シリンダー錠１の被覆部１０１はDVIの接続面を覆い塞いで完全に固定される。したがって、このDVIにケーブル側のコネクターを差し込むことはできないから、ケーブルの接続によりパソコンＰ内の各種のデータを抜き取ったり、またDVIをいたずらしたりすることはできない。
【００２０】
そして、DVIを使用するときは、まず、キー１２をシリンダー錠１のキー孔１１０へ差し込みシリンダー錠１を解錠して、ロックキャップ４のロック、及びシリンダー錠１の被覆部１０１のDVIの接続面に対するロックを解除する。次いで、シリンダー錠１のキー１２を９０°回転操作して、ロックキャップ４を特殊ねじ挿通部２の開口２１０から外して開口２１０を開く。そして、特殊ねじ挿通部２内の特殊ねじ３をねじ部Ｓから取り外し、シリンダー錠１の被覆部１０１とDVIの接続面との固定を解除して、コネクターロック装置ＬをDVIの接続面から取り外す。これにより、DVIにケーブル側のコネクターを接続することができる。
【００２１】
なお、このコネクターロック装置ＬをD-Subに用いる場合も概ね同様である。
【００２２】
以上説明したように、このコネクターロック装置Ｌによれば、一端に機器側のコネクターの接続面の全部又は一部を覆い塞ぐ被覆部１０１を有するシリンダー錠１と、シリンダー錠１の外周面に略筒状に並設され、一端に被覆部２０を有する特殊ねじ挿通部２、及び特殊ねじ挿通部２内に挿通収容され、機器側のコネクターのねじ部Ｓに締結可能な特殊ねじ３と、シリンダー錠１の他端側にシリンダー錠１に作動連結され、シリンダー錠１のキー１２の回転操作によりシリンダー錠１の軸線回りを回動し、特殊ねじ挿通部２の開口２１０を開閉可能なロックキャップ４とを備えて構成され、機器側のコネクターの不正使用を防止するときは、シリンダー錠１の被覆部１０１で機器側のコネクターの接続面を覆い塞ぎ、特殊ねじ挿通部２内の特殊ねじ３をねじ部Ｓに締結することにより、シリンダー錠１の被覆部１０１と機器側のコネクターの接続面とを固定し、シリンダー錠１のキー１２の回転操作により、ロックキャップ４で特殊ねじ挿通部２の開口２１０を閉じ、キー１２をキー孔１１０から引き抜きシリンダー錠１を施錠することにより、ロックキャップ４をロックして、シリンダー錠１の被覆部１０１を機器側のコネクターの接続面にロックするようにしたので、パソコンや制御機器を含む各種の電子機器の「D-Sub」や「DVI」などのコネクターを簡単に閉塞しロックすることができ、しかも、ロックした後のロック解除を困難にして、信頼性の高いセキュリティを実現することができる。また、機器側のコネクターを使用するときは、キー１２をシリンダー錠１のキー孔１１０へ差し込みシリンダー錠１を解錠することにより、ロックキャップ４のロック、及びシリンダー錠１の被覆部１０１の機器側のコネクターの接続面に対するロックを解除し、シリンダー錠１のキー１２の回転操作により、ロックキャップ４を特殊ねじ挿通部２の開口２１０から外して開口２１０を開き、特殊ねじ挿通部２内の特殊ねじ３をねじ部Ｓから取り外すことにより、シリンダー錠１の被覆部１０１と機器側のコネクターの接続面との固定を解除するようにしたので、このコネクターロック装置Ｌの取り外しも簡単に行うことができる。
【００２３】
また、このコネクターロック装置Ｌでは、シリンダー錠１の外筒１０一端の被覆部１０１が機器側のコネクターの一部を内包可能に略筒形状に形成され、この被覆部１０１の外周の一部に機器側のコネクターの残部を被覆部１０１の外に出すためのコネクター通し部１０３が設けられることで、機器側のコネクターが大きい（特に長手方向の長さが大きい）場合でも、シリンダー錠１の一端の被覆部１０１の大きさをそのコネクター全体の大きさに合せる必要が無く、シリンダー錠１一端の被覆部１１０とともにコネクターロック装置Ｌ全体の大きさをコンパクトにすることができる。
【００２４】
なお、このコネクターロック装置Ｌでは、シリンダー錠１の外周面に特殊ねじ挿通部２が１つ設けられ、この特殊挿通部２に特殊ねじ３が１本挿通されて、シリンダー錠１一端の被覆部１０１で機器側のコネクターの接続面を覆い塞ぎ、１つの特殊ねじ挿通部２の特殊ねじ３を機器側のコネクターの一方のねじ部Ｓに締結して、この特殊ねじ挿通部２の開口２１０をロックキャップ４のキャップ部４２で蓋をしているが、シリンダー錠の外周面に特殊ねじ挿通部が２つ対称的に設けられ、これらの特殊挿通部にそれぞれ特殊ねじが１本ずつ挿通されて、シリンダー錠一端の被覆部で機器側のコネクターの接続面を覆い塞ぎ、２つの特殊ねじ挿通部の各特殊ねじを機器側のコネクター両端の各ねじ部に締結し、これら特殊ねじ挿通部の各開口をロックキャップのキャップ部、この場合、キャップ回転部から相互に反対方向に延びる２つのキャップ部で蓋をするようにしてもよい。このようにしても上記実施の形態と同様の作用効果を奏することができ、コネクターロック装置のより確実なロック状態を得ることができる。
また、このコネクターロック装置Ｌでは、シリンダー錠１の外筒１０及びその一端の被覆部１０１を略円筒形としているが、それぞれを、角筒形にしてもよく、また、機器側のコネクターの外周形状に合せた筒状としてもよい。このようにしても上記実施の形態と同様の作用効果を奏することができ、特に、機器側のコネクターの外周形状に合せた筒状とした場合には、意匠的効果の向上を図ることもできる。
さらに、このコネクターロック装置Ｌでは、シリンダー錠１がディスクタンブラー式のシリンダー錠として構成されているが、ピンタンブラー式など他の形式のシリンダー錠として構成されてもよい。このようにしても上記実施の形態と同様の作用効果を奏することができる。
またさらに、このコネクターロック装置Ｌにおいてロックキャップ４はキャップ回転部４１とキャップ部４２とからなり、キャップ回転部４１の内周面に係合凹部４０が形成され、シリンダー錠１の内筒１１の外周面の他端側に係止凸部１１２が形成されて、キャップ回転部４１がこれら係合凹部４０と係止凸部１１２との係合によりシリンダー錠１の外筒１０の他端側で内筒１１に作動連結されているが、これとは反対に、キャップ回転部の内周面に係止凸部を形成され、シリンダー錠の内筒の外周面の他端側に係合凹部が形成されて、キャップ回転部がこれら係止凸部と係合凹部との係合によりシリンダー錠の外筒の他端側で内筒に作動連結されてもよい。このようにしても上記実施の形態と同様の作用効果を奏することができる。
【符号の説明】
【００２５】
Ｐ  パソコン
Ｃ  コネクター本体
Ｓ０  取付ねじ
Ｓ  ねじ部
Ｋ１  ケーブル側のコネクター
Ｓ１  取付ねじ
Ｋ２  ケーブル側のコネクター
Ｓ２  取付ねじ
Ｌ  コネクターロック装置
１  シリンダー錠
１０  外筒（Ｂ  ロックボディ）
１０１  被覆部
１０２  係合溝
１０３  DVI通し部（コネクター通し部）
１１  内筒
１１０  キー孔
１１１  ディスク
１１２  係止凸部
１２  キー
２  特殊ねじ挿通部（Ｂ  ロックボディ）
２０  被覆部
２１  頭部保持部
２１０  開口
２２  ねじ孔
２３  ねじ通し孔
３  特殊ねじ
３０  頭部
３１  ねじ軸
４  ロックキャップ
４０  係合凹部
４１  キャップ回転部
４２  キャップ部
【図１】
2018111955.tif 000003
【図２】
2018111955.tif 000004
【図３】
2018111955.tif 000005
【図４】
2018111955.tif 000006
【図５】
2018111955.tif 000007
【図６】
2018111955.tif 000008